【手続補正書】
【提出日】平成30年10月23日(2018.10.23)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
基準信号と制御データ信号とを含む結合信号を含む波形を生成すること、ここにおいて、前記基準信号と前記制御データ信号とは、前記波形において互いの位相オフセットである、と、
サブフレーム未満の持続時間を有する送信時間間隔（ＴＴＩ）において１つのリソースブロックの複数のトーンにわたって前記波形を送信することと
を備える、方法。
【請求項２】
前記波形を生成することは、前記基準信号をベースシーケンスとして前記制御データ信号と結合することを備え、前記制御データ信号は、制御データと結合された前記ベースシーケンスを備える、
請求項１に記載の方法。
【請求項３】
前記制御データは、直交位相偏移変調（ＱＰＳＫ）コンスタレーションまたは１６−直交振幅変調（ＱＡＭ）コンスタレーションを使用して変調される、
請求項２に記載の方法。
【請求項４】
前記ＱＰＳＫコンスタレーションまたは前記１６−ＱＡＭコンスタレーションは、前記波形のピーク対平均電力比（ＰＡＰＲ）を低減するために選択される、
請求項３に記載の方法。
【請求項５】
前記制御データ中で不連続送信（ＤＴＸ）のフィードバックを示すために、前記ＱＰＳＫコンスタレーションまたは前記１６−ＱＡＭコンスタレーションを０に設定することをさらに備える、
請求項３に記載の方法。
【請求項６】
前記位相オフセットは、前記基準信号についての第１の位相オフセットと、前記制御データ信号についての第２の位相オフセットとを備え、前記第１の位相オフセットは、前記第２の位相オフセットと異なる、
請求項１に記載の方法。
【請求項７】
後続のＴＴＩにおいて異なるリソースブロック上で前記波形を送信することをさらに備え、前記異なるリソースブロックは、前記１つのリソースブロックとは異なる周波数のものである、
請求項１に記載の方法。
【請求項８】
前記制御データ信号は、ハイブリッド自動再送／要求（ＨＡＲＱ）フィードバックを含む、
請求項１に記載の方法。
【請求項９】
前記ＴＴＩの前記持続時間は、シンボル持続時間、２シンボル持続時間、または前記サブフレームのスロット持続時間、のうちの少なくとも１つである、
請求項１に記載の方法。
【請求項１０】
通信のためのユーザ機器であって、
基準信号と制御データ信号とを含む結合信号を含む波形を生成するための手段、ここにおいて、前記基準信号と前記制御データ信号とは、前記波形において互いの位相オフセットである、と、
サブフレーム未満の持続時間を有する送信時間間隔（ＴＴＩ）において１つのリソースブロックの複数のトーンにわたって前記波形を送信するための手段と
を備える、ユーザ機器。
【請求項１１】
前記波形を生成するための手段は、前記基準信号をベースシーケンスとして前記制御データ信号と結合するようにさらに構成され、前記制御データ信号は、制御データと結合された前記ベースシーケンスを備える、
請求項１０に記載のユーザ機器。
【請求項１２】
前記制御データは、直交位相偏移変調（ＱＰＳＫ）コンスタレーションまたは１６−直交振幅変調（ＱＡＭ）コンスタレーションを使用して変調される、
請求項１１に記載のユーザ機器。
【請求項１３】
前記波形のピーク対平均電力比（ＰＡＰＲ）を低減するために前記ＱＰＳＫコンスタレーションまたは前記１６−ＱＡＭコンスタレーションが選択され、
前記制御データ中で不連続送信（ＤＴＸ）のフィードバックを示すために前記ＱＰＳＫコンスタレーションまたは前記１６−ＱＡＭコンスタレーションを０に設定するための手段をさらに備える、
請求項１２に記載のユーザ機器。
【請求項１４】
前記位相オフセットは、前記基準信号についての第１の位相オフセットと、前記制御データ信号についての第２の位相オフセットとを備え、前記第１の位相オフセットは、前記第２の位相オフセットと異なる、
請求項１０に記載のユーザ機器。
【請求項１５】
コンピュータ実行可能コードを備えるコンピュータ可読記憶媒体であって、前記コンピュータ実行可能コードは、
基準信号と制御データ信号とを含む結合信号を含む波形を生成するためのコード、ここにおいて、前記基準信号と前記制御データ信号とは、前記波形において互いの位相オフセットである、と、
サブフレーム未満の持続時間を有する送信時間間隔（ＴＴＩ）において１つのリソースブロックの複数のトーンにわたって前記波形を送信するためのコードと
を備える、コンピュータ可読記憶媒体。
【手続補正２】
【補正対象書類名】明細書
【補正対象項目名】００６３
【補正方法】変更
【補正の内容】
【００６３】
[0067]以上の説明は、本明細書で説明された様々な態様を当業者が実施できるようにするために提供されている。これらの態様への様々な変更は当業者には容易に明らかであり、本明細書で定義された一般的原理は他の態様に適用され得る。したがって、特許請求の範囲は、本明細書で示された態様に限定されるものではなく、クレーム文言に矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの」という用語は１つまたは複数を指している。当業者に知られている、または後に知られることになる、本明細書で説明された様々な態様の要素に対するすべての構造的および機能的均等物が、参照によって本明細書に明確に組み込まれ、特許請求の範囲によって包含されることが意図される。その上、本明細書において開示されるものは、そのような開示が特許請求の範囲において明示的に列挙されているかどうかにかかわらず、公に供されることは意図されていない。「ための手段」という句を使用して要素が明確に列挙されていない限り、いかなるクレーム要素もミーンズプラスファンクションとして解釈されるべきではない。
以下に、本願出願の当初の特許請求の範囲に記載された発明を付記する。
［Ｃ１］
ワイヤレス通信の方法であって、
基準信号と制御データ信号とを含む結合信号を含む波形を生成すること、ここにおいて、前記基準信号と前記制御データ信号とは、前記波形において互いの位相オフセットである、と、
サブフレーム未満の持続時間を有する送信時間間隔（ＴＴＩ）において１つのリソースブロック上で前記波形を送信することと
を備える、方法。
［Ｃ２］
前記波形を生成することは、前記基準信号をベースシーケンスとして前記制御データ信号と結合することを備え、前記制御データ信号は、制御データと結合された前記ベースシーケンスを備える、
［Ｃ１］に記載の方法。
［Ｃ３］
前記制御データは、直交位相偏移変調（ＱＰＳＫ）コンスタレーションまたは１６−直交振幅変調（ＱＡＭ）コンスタレーションを使用して変調される、
［Ｃ２］に記載の方法。
［Ｃ４］
前記ＱＰＳＫコンスタレーションまたは前記１６−ＱＡＭコンスタレーションは、前記波形のピーク対平均電力比（ＰＡＰＲ）を低減するために選択される、
［Ｃ３］に記載の方法。
［Ｃ５］
前記制御データ中で不連続送信（ＤＴＸ）のフィードバックを示すために、前記ＱＰＳＫコンスタレーションまたは前記１６−ＱＡＭコンスタレーションを０に設定することをさらに備える、
［Ｃ３］に記載の方法。
［Ｃ６］
前記位相オフセットは、前記基準信号についての第１の位相オフセットと、前記制御データ信号についての第２の位相オフセットとを備え、前記第１の位相オフセットは、前記第２の位相オフセットと異なる、
［Ｃ１］に記載の方法。
［Ｃ７］
後続のＴＴＩにおいて異なるリソースブロック上で前記波形を送信することをさらに備え、前記異なるリソースブロックは、前記１つのリソースブロックとは異なる周波数のものである、
［Ｃ１］に記載の方法。
［Ｃ８］
前記制御データ信号は、ハイブリッド自動再送／要求（ＨＡＲＱ）フィードバックを含む、
［Ｃ１］に記載の方法。
［Ｃ９］
前記ＴＴＩの前記持続時間は、シンボル持続時間、２シンボル持続時間、または前記サブフレームのスロット持続時間、のうちの少なくとも１つである、
［Ｃ１］に記載の方法。
［Ｃ１０］
ワイヤレス通信のためのユーザ機器であって、
トランシーバと、
バスを介して前記トランシーバと通信可能に結合された少なくとも１つのプロセッサと、
前記バスを介して前記少なくとも１つのプロセッサおよび／または前記トランシーバと通信可能に結合されたメモリと
を備え、前記少なくとも１つのプロセッサは、
基準信号と制御データ信号とを含む結合信号を含む波形を生成すること、ここにおいて、前記基準信号と前記制御データ信号とが前記波形において互いの位相オフセットである、と、
前記トランシーバを介して、サブフレーム未満の持続時間を有する送信時間間隔（ＴＴＩ）において１つのリソースブロック上で前記波形を送信することと、
を行うように構成される、ユーザ機器。
［Ｃ１１］
前記少なくとも１つのプロセッサは、前記基準信号をベースシーケンスとして前記制御データ信号と結合することによって少なくとも部分的に、前記波形を生成するようにさらに構成され、前記制御データ信号は、制御データと結合された前記ベースシーケンスを備える、
［Ｃ１０］に記載のユーザ機器。
［Ｃ１２］
前記制御データは、直交位相偏移変調（ＱＰＳＫ）コンスタレーションまたは１６−直交振幅変調（ＱＡＭ）コンスタレーションを使用して変調される、
［Ｃ１１］に記載のユーザ機器。
［Ｃ１３］
前記波形のピーク対平均電力比（ＰＡＰＲ）を低減するために前記ＱＰＳＫコンスタレーションまたは前記１６−ＱＡＭコンスタレーションが選択される、
［Ｃ１２］に記載のユーザ機器。
［Ｃ１４］
前記少なくとも１つのプロセッサは、前記制御データ中で不連続送信（ＤＴＸ）のフィードバックを示すために前記ＱＰＳＫコンスタレーションまたは前記１６−ＱＡＭコンスタレーションを０に設定するようにさらに構成される、
［Ｃ１２］に記載のユーザ機器。
［Ｃ１５］
前記位相オフセットは、前記基準信号についての第１の位相オフセットと、前記制御データ信号についての第２の位相オフセットとを備え、前記第１の位相オフセットは、前記第２の位相オフセットと異なる、
［Ｃ１０］に記載のユーザ機器。
［Ｃ１６］
前記少なくとも１つのプロセッサは、後続のＴＴＩにおいて異なるリソースブロック上で前記波形を送信するようにさらに構成され、前記異なるリソースブロックは、前記１つのリソースブロックとは異なる周波数のものである、
［Ｃ１０］に記載のユーザ機器。
［Ｃ１７］
前記制御データ信号は、ハイブリッド自動再送／要求（ＨＡＲＱ）フィードバックを含む、
［Ｃ１０］に記載のユーザ機器。
［Ｃ１８］
前記ＴＴＩの前記持続時間は、シンボル持続時間、２シンボル持続時間、または前記サブフレームのスロット持続時間、のうちの少なくとも１つである、
［Ｃ１０］に記載のユーザ機器。
［Ｃ１９］
通信のためのユーザ機器であって、
基準信号と制御データ信号とを含む結合信号を含む波形を生成するための手段、ここにおいて、前記基準信号と前記制御データ信号とは、前記波形において互いの位相オフセットである、と、
サブフレーム未満の持続時間を有する送信時間間隔（ＴＴＩ）において１つのリソースブロック上で前記波形を送信するための手段と
を備える、ユーザ機器。
［Ｃ２０］
前記波形を生成するための手段は、前記基準信号をベースシーケンスとして前記制御データ信号と結合するようにさらに構成され、前記制御データ信号は、制御データと結合された前記ベースシーケンスを備える、
［Ｃ１９］に記載のユーザ機器。
［Ｃ２１］
前記制御データは、直交位相偏移変調（ＱＰＳＫ）コンスタレーションまたは１６−直交振幅変調（ＱＡＭ）コンスタレーションを使用して変調される、
［Ｃ２０］に記載のユーザ機器。
［Ｃ２２］
前記波形のピーク対平均電力比（ＰＡＰＲ）を低減するために前記ＱＰＳＫコンスタレーションまたは前記１６−ＱＡＭコンスタレーションが選択される、
［Ｃ２１］に記載のユーザ機器。
［Ｃ２３］
前記制御データ中で不連続送信（ＤＴＸ）のフィードバックを示すために前記ＱＰＳＫコンスタレーションまたは前記１６−ＱＡＭコンスタレーションを０に設定するための手段をさらに備える、
［Ｃ２１］に記載のユーザ機器。
［Ｃ２４］
前記位相オフセットは、前記基準信号についての第１の位相オフセットと、前記制御データ信号についての第２の位相オフセットとを備え、前記第１の位相オフセットは、前記第２の位相オフセットと異なる、
［Ｃ１９］に記載のユーザ機器。
［Ｃ２５］
コンピュータ実行可能コードを備えるコンピュータ可読記憶媒体であって、前記コンピュータ実行可能コードは、
基準信号と制御データ信号とを含む結合信号を含む波形を生成するためのコード、ここにおいて、前記基準信号と前記制御データ信号とは、前記波形において互いの位相オフセットである、と、
サブフレーム未満の持続時間を有する送信時間間隔（ＴＴＩ）において１つのリソースブロック上で前記波形を送信するためのコードと
を備える、コンピュータ可読記憶媒体。
［Ｃ２６］
前記コードは、前記基準信号をベースシーケンスとして前記制御データ信号とさらに結合し、前記制御データ信号は、制御データと結合された前記ベースシーケンスを備える、
［Ｃ２５］に記載のコンピュータ可読記憶媒体。
［Ｃ２７］
前記制御データは、直交位相偏移変調（ＱＰＳＫ）コンスタレーションまたは１６−直交振幅変調（ＱＡＭ）コンスタレーションを使用して変調される、
［Ｃ２６］に記載のコンピュータ可読記憶媒体。
［Ｃ２８］
前記波形のピーク対平均電力比（ＰＡＰＲ）を低減するために前記ＱＰＳＫコンスタレーションまたは前記１６−ＱＡＭコンスタレーションが選択される、
［Ｃ２７］に記載のコンピュータ可読記憶媒体。
［Ｃ２９］
前記コードは、前記制御データ中で不連続送信（ＤＴＸ）のフィードバックを示すために前記ＱＰＳＫコンスタレーションまたは前記１６−ＱＡＭコンスタレーションを０に設定するようにさらに構成される、
［Ｃ２７］に記載のコンピュータ可読記憶媒体。
［Ｃ３０］
前記位相オフセットは、前記基準信号についての第１の位相オフセットと、前記制御データ信号についての第２の位相オフセットとを備え、前記第１の位相オフセットは、前記第２の位相オフセットと異なる、
［Ｃ２５］に記載のコンピュータ可読記憶媒体。